(57)【要約】      （修正有）【課題】携帯するＩＣカードに対しては確実なスキミング保護を行い、かつ、頻繁に利用する必要の有る改札ＩＣカードは、改札ＩＣカードを取り出さずにポケットに収納したままで改札を通過できる、操作性に優れ、かつ小型、軽量なエントリーカードポケットを提供する。【解決手段】保護機能無しのポケット１、４を蛇腹折の開始と終端に配置し、保護機能有りのポケット２、３に挿入されるＩＣカードは表裏をほぼ覆うスキミングシートに挟まれる構造とする。さらに、保護機能無しのポケットを保護機能有りのポケットに重ねた状態では、保護機能無しのポケットに挿入されたＩＣカードは保護機能有りのポケットに装着されているスキミングシートに近接して重なる構造とし、かつ保護機能有りのポケットに重ねる保護機能無しのポケットは重なりを開き難い構造とする。【選択図】図１
0003179244.tif 000002
【実用新案登録請求の範囲】
【請求項１】
皮革、樹脂、布などで形成され、スキミングシートを備え、単体または組み合わせてスキミング保護機能を形成する保護機能有りと、スキミングシートを備えない保護機能無しのポケットを蛇腹折状に配置して構成するＩＣカードホルダーに関し、保護機能無しのポケットを蛇腹折の開始と終端に配置し、保護機能有りのポケットに挿入されるＩＣカードは表裏をほぼ覆うスキミングシートに挟まれる構造とし、保護機能無しのポケットを保護機能有りのポケットに重ねた状態では、保護機能無しのポケットに挿入されたＩＣカードは保護機能有りのポケットに装着されているスキミングシートに近接して重なる構造とし、かつ保護機能有りのポケットに重ねる保護機能無しのポケットは重なりを開き難い構造とすることにより、携帯時はポケットを全て重ねて小型化するとともに、保護機能無しのポケットに改札ＩＣカードを挿入しておくことにより、駅改札などの自動改札を通過する場合には、保護機能無しのポケットの中で適合する改札ＩＣカードが入っているポケットを選択して、保護機能有りのポケットとの重なりを開いて改札機に近接させることにより、鉄道会社により異なる少なくとも二種類の改札ＩＣカードをポケットから取り出すことなく改札を通過することができる、極めて操作性に優れ、かつ小型、軽量なエントリーカードポケット。
【考案の詳細な説明】
【技術分野】
【０００１】電磁波を利用した非接触タイプのＩＣカードに対して確実なスキミング保護を行い、かつ、頻繁に利用する必要の有る改札ＩＣカードをホルダーに収納したままで改札を通過することが出来る、極めて操作性に優れ、かつ小型、軽量なエントリーカードポケット。
【背景技術】
【０００２】近年は非接触ＩＣカードの普及により、気付かない情況でのスキミングが社会問題化している。ＩＣカードは接触端子を介して電力を外部から供給する接触タイプと、カードに内蔵するアンテナで電磁波から供給を受ける非接触タイプがあり、接触タイプはスキミングしようとする者の手にカードが渡らない限りスキミングされるリスクは少ないが、非接触タイプはＩＣによる高度なセキュリティ対策が施されているものの、リーダー・ライターとの間の電磁波（密接型は４．９１ＭＨｚ、近接型は１３．５６ＭＨｚの電磁波）を悪用することにより、カードの保持者が気付かずにカード情報をスキミングされる恐れがある。このため、導電体シートを非接触ＩＣカードの近傍に配置して電磁波遮蔽を行う対策が有効であり、導電素材で構成される導電体シートがリーダー・ライターとカードとの間に位置する場合は電磁波はシート表面で反射され、導電体シートがカードの背面に位置する場合は発生する渦電流により、いずれも非接触ＩＣカードの正常なリード・ライトは出来ずスキミングは防がれる。【０００３】このため、財布やカードホルダーをアルミ材などの導電体シートで被覆してＩＣカードをスキミング被害から保護する商品が種々販売されているが、改札ＩＣカードが鉄道会社などによって互換性がない場合も有るため複数枚の改札ＩＣカードを持ち歩き、かつスキミング保護された財布やホルダーから該当する改札カードを取り出して改札機に近接させる必要があり極めて煩わしい。このため、スキミング保護機能付き財布やカードホルダーの一部に保護機能の無いカード入れ部を設けたり、カードを簡単に取り出せるようにするなどの工夫がなされているものも有るが、カードの取り出しを容易にする構造はかなり複雑になる反面、改札ＩＣカードも金銭カードであるためスキミング保護は不可欠であるとの相反する課題を抱えている。
【考案が解決しようとする課題】
【０００４】携帯するＩＣカードに対しては確実なスキミング保護を行い、かつ、頻繁に利用する必要の有る改札ＩＣカードは、改札ＩＣカードを取り出さずにポケットに収納したままで改札を通過できる、操作性に優れ、かつ小型、軽量なエントリーカードポケットを実現する。
【課題を解決するための手段】
【０００５】皮革、樹脂、布などで形成され、スキミングシートを備え、単体または組み合わせてスキミング保護機能を形成する保護機能有りと、スキミングシートを備えない保護機能無しのポケットを蛇腹折状に配置して構成するＩＣカードホルダーに関し、保護機能無しのポケットを蛇腹折の開始と終端に配置し、保護機能有りのポケットに挿入されるＩＣカードは表裏をほぼ覆うスキミングシートに挟まれる構造とし、保護機能無しのポケットを保護機能有りのポケットに重ねた状態では、保護機能無しのポケットに挿入されたＩＣカードは保護機能有りのポケットに装着されているスキミングシートに近接して重なる構造とし、かつ保護機能有りのポケットに重ねる保護機能無しのポケットは重なりを開き難い構造とする。
【考案の効果】
【０００６】携帯時はポケットを全て重ねて小型化するとともに、保護機能無しのポケットに改札ＩＣカードを挿入しておくことにより、駅改札などの自動改札を通過する場合には、保護機能無しのポケットの中で適合する改札ＩＣカードが入っているポケットを選択して、保護機能有りのポケットとの重なりを開いて改札機に近接させることにより、鉄道会社により異なる少なくとも二種類の改札ＩＣカードをポケットから取り出すことなく改札を通過することができる。
【考案を実施するための形態】
【０００７】図１は本考案に基づくエントリーポケットの概略構成図を示し、１と４は保護機能無しのポケットでベース５の表裏に配置され、２，３は保護機能有りのポケットでベース５の表裏に配置されている。図２はポケットの構成図例を示し５はベース、６はポケットの外装を示しＩＣカードは矢印の方向に挿入する。図３は保護機能有りのポケットにおけるスキミングシートとＩＣカードとの関係を示し、ポケットの外装７，１０に近接してスキミングシート８，９が配置され、ＩＣカードは図１におけるポケット２に相当する７，８，５およびポケト３に相当する５，９，１０において矢印方向に挿入され、いずれのＩＣカードもスキミングシート８と９に挟まれるため完全にスキミング保護される。このポケットは単体ではなく、それぞれのポケットに一枚ずつ装着されるスキミングシート８，９を組み合わせることによりＩＣカードを両面から挟む構成が実現されている。
【０００８】保護機能無しのポケットは保護機能有りのポケットに重ねられた状態では保護機能有りのポケットに密接するため、保護機能無しのポケットに挿入されたＩＣカードは図３に示すスキミングシート８または９が近接して重なることにより、スキミング保護される。すなわち、スキミングシートがリーダー・ライターとＩＣカードの間ではなく、ＩＣカードの裏側に配置される場合は、ＩＣカードとスキミングシートの間隔が数ミリ程度で有ればスキミング保護効果が得られるが、より開いた状態ではスキミング効果は得難くなる。図４は図１に示されるポケットを折り重ねた状態を示しており、蛇腹折りで、保護無しのポケットが蛇腹折の開始と終端、すなわち、保護機能無しのポケット１，４は保護機能有りのポケット２，３の外側に重ねられている。図４（２）は蛇腹折のイメージを示し、例えばベース５の蛇腹折りの折返し部分１１で上下の重なり面を溶着すれば、上下面は開き難くなるため保護機能無しのポケットは保護機能有りのポケットから不用意に開くこが防がれる。
【０００９】図５は三個のポケット１，２，４をベース５の一面に配置した例を示し、１，４が保護機能無しのポケット、２が保護機能有りのポケットで、図６（１）折り重ねた状態を示す。図６（２）は保護機能有りのポケットにおけるスキミングシート８，９の配置を示し、挿入されるＩＣカードを両面から挟みこむ構造となっており、一つのポケットに二枚のスキミングシートが装着されて単一のポケットが構成されている。このように、ポケットの中のＩＣカードはスキミングから確実に守られるとともに、駅改札などの自動改札を通過する場合には改札ＩＣカードをポケットから取り出すことなくポケットの重ねを開いて改札機に近接するだけで改札を通過することができるが、鉄道会社やバス会社の間で共用できない改札ＩＣカードが有ることや、リーダー・ライターでは複数枚重ねられたＩＣカードを識別することは出来ないため、二種類の改札カードを別々の保護機能無しのポケットに収納できることは大変便利な機能である。
【実施例】
【００１０】図１の構成による実施例は、ベース、ポケットは厚さ０．３ｍｍの軟質塩ビを使用し、ＩＣカードが５４×８６×０．８ｍｍ程度であることを考慮して、ポケットは６０×９５ｍｍのサイズとし、表裏の保護機能有りのポケットにはそれぞれ３枚ずつＩＣカードが入るように構成した。スキミングシートは５５×８７ｍｍで７ミクロンの厚さのアルミシートを使用した。保護機能無しのポケットが不用意に開かないように図４（２）に示す蛇腹折の折返し部分で上下の重なり面を溶着する構造を採用した。不用意な開きを防ぐには、他にも蛇腹折の折り返しに折り曲げ方向への癖を付けたりホックを取り付けるなど
種々の方法が考えられる。さらに実施例では数個のポケットを例としたが、蛇腹折ではポケットを必要なだけ配置して増やしても厚みが増えるだけで機能、構造は変わらない特徴が有る。材質は軟質塩ビに限定されず、皮革、樹脂、布、紙など、また各種ディメンジョンに関しても各種の応用、変形に応じて最適化できるなど、本考案の趣旨を逸脱しない範囲であれば種々の変形実施が可能である。
【図面の簡単な説明】
【００１１】
【図１】本考案に基づくエントリーポケットの概略構成図を示す
【図２】ポケット構成図を示す
【図３】保護機能有りのポケットにおけるスキミングシートの配置を示す
【図４】（１）はポケットを折り重ねた状態を示す  （２）は蛇腹折りの構成例を示す
【図５】三個のポケットをベースの一面に配置した例を示す
【図６】（１）はポケットを折り重ねた状態を示す  （２）保護機能有りのポケットにおけるスキミングシートの配置を示す
【符号の説明】  １                保護機能無しのポケット
２                保護機能有りのポケット
３                保護機能有りのポケット
４                保護機能なしのポケット
５                ベース
６、７，１０      ポケット外装
８，９            スキミングシート
１１                蛇腹折り返し部における溶着ライン
矢印      ＩＣカード挿入方向を示す
【図１】
0003179244.tif 000003
【図２】
0003179244.tif 000004
【図３】
0003179244.tif 000005
【図４】
0003179244.tif 000006
【図５】
0003179244.tif 000007
【図６】
0003179244.tif 000008
【手続補正書】
【提出日】平成24年8月6日(2012.8.6)
【手続補正１】
【補正対象書類名】実用新案登録請求の範囲
【補正対象項目名】全文
【補正方法】変更
【補正の内容】
【実用新案登録請求の範囲】
【請求項１】
皮革、樹脂、布などで形成され、スキミングシートを備える保護機能有りと、スキミングシートを備えない保護機能無しのポケットを蛇腹折状に配置して構成するＩＣカードホルダーに関し、保護機能無しのポケットを蛇腹折の開始と終端に配置し、保護機能有りのポケットに挿入されるＩＣカードは表裏をほぼ覆うスキミングシートに挟まれる構造とし、保護機能無しのポケットを保護機能有りのポケットに重ねた状態では、保護機能無しのポケットに挿入されたＩＣカードは保護機能有りのポケットに装着されているスキミングシートに近接して重なる構造とし、保護機能無しのポケットが不用意に開かないように、保護機能無しのポケットと保護機能有りのポケットを折り返し部分で上下の重なり面を溶着するとともに、保護機能有りのポケットと保護機能無しのポケットは相互の接触部を軟質塩ビ材で形成して軟質塩ビの有する吸着性によって重なりを開き難い構造とすることにより、携帯時はポケットを全て重ねて小型化するとともに、保護機能無しのポケットに改札ＩＣカードを挿入しておくことにより、駅改札などの自動改札を通過する場合には、保護機能無しのポケットの中で適合する改札ＩＣカードが入っているポケットを選択して、保護機能有りのポケットとの重なりを開いて改札機に近接させることにより、鉄道会社により異なる少なくとも二種類の改札ＩＣカードをポケットから取り出すことなく改札を通過することができる、極めて操作性に優れ、かつ小型、軽量なエントリーカードポケット。
【手続補正２】
【補正対象書類名】明細書
【補正対象項目名】０００８
【補正方法】変更
【補正の内容】
【０００８】保護機能無しのポケットは保護機能有りのポケットに重ねられた状態では保護機能有りのポケットに密接するため、保護機能無しのポケットに挿入されたＩＣカードは図３に示すスキミングシート８または９が近接して重なることにより、スキミング保護される。すなわち、スキミングシートがリーダー・ライターとＩＣカードの間ではなく、ＩＣカードの裏側に配置される場合は、ＩＣカードとスキミングシートの間隔が数ミリ程度で有ればスキミング保護効果が得られるが、より開いた状態ではスキミング効果は得難くなる。図４は図１に示されるポケットを折り重ねた状態を示しており、蛇腹折りで、保護無しのポケットが蛇腹折の開始と終端、すなわち、保護機能無しのポケット１，４は保護機能有りのポケット２，３の外側に重ねられている。図４（２）は蛇腹折のイメージを示し、例えばベース５の蛇腹折りの折返し部分１１で上下の重なり面を溶着すれば、上下面は開き難くなるともに、軟質塩ビに含まれる可塑剤は軟質塩ビ同士を吸着させる性質を有しているため、保護機能有りのポケットと保護機能無しのポケットの相互の接触部を軟質塩ビ材で形成することにより吸着によって保護機能無しのポケットが保護機能有りのポケットから不用意に開かれることを防ぐ。
【手続補正３】
【補正対象書類名】明細書
【補正対象項目名】００１０
【補正方法】変更
【補正の内容】
【００１０】図１の構成による実施例は、ベース、ポケットは厚さ０．３ｍｍの軟質塩ビを使用し、ＩＣカードが５４×８６×０．８ｍｍ程度であることを考慮して、ポケットは６０×９５ｍｍのサイズとし、表裏の保護機能有りのポケットにはそれぞれ３枚ずつＩＣカードが入るように構成した。スキミングシートは５５×８７ｍｍで７ミクロンの厚さのアルミシートを使用した。保護機能無しのポケットが不用意に開かないように図４（２）に示す蛇腹折の折返し部分で上下の重なり面を溶着する構造を採用するとともに、相互に重なる保護機能有りのポケットと保護機能無しのポケットを軟質塩ビ材で形成して吸着によって保護機能無しのポケットが保護機能有りのポケットから不用意に開かれることを防いでいる。さらに実施例では数個のポケットを例としたが、蛇腹折では必要な数ポケットを増やしても単にポケットが重ねられるだけであり、接合部を中心として扇型に膨らむことは無く携帯する場合などに邪魔にならない。材質は保護機能無し、と保護機能有りのポケットの重なり部を除いては軟質塩ビに限定されず、皮革、樹脂、布、紙など、また各種ディメンジョンに関しても各種の応用、変形に応じて最適化できるなど、本考案の趣旨を逸脱しない範囲であれば種々の変形実施が可能である。